(57)【特許請求の範囲】
【請求項１】
左右方向に並べられた複数のシャーシと、
左右方向に延び、前記複数のシャーシを互いに連結する連結部材と、
前記シャーシに回動自在に設けられた複数の鍵と、
前記連結部材に回動自在に支持され、前記複数の鍵にそれぞれ連動して回動する複数のハンマーと、
を備えていることを特徴とする鍵盤楽器の鍵盤装置。
【請求項２】
前記連結部材が、すべての前記複数のハンマーにわたって左右方向に延びる１個の連結部材で構成されていることを特徴とする、請求項１に記載の鍵盤楽器の鍵盤装置。
【請求項３】
前記連結部材は、前記シャーシに水平に取り付けられる取付部と、この取付部の一端から上方に延びるハンマー支持部とによって構成され、このハンマー支持部には、その長さ方向に沿って、前記複数のハンマーをそれぞれ係合・支持するための複数の係合凸部および係合凹部が交互に形成されていることを特徴とする、請求項２に記載の鍵盤楽器の鍵盤装置。
【発明の詳細な説明】
【０００１】
【発明の属する技術分野】
本発明は、鍵に連動して回動するハンマーを備えたタイプの電子ピアノなどに用いられる鍵盤楽器の鍵盤装置に関する。
【０００２】
【従来の技術】
従来の電子ピアノの鍵盤装置では一般に、１個の金属製のシャーシ（フレーム）上に多数の鍵が左右方向に並んで取り付けられている。このシャーシには、多数の溝や孔などが形成されており、各鍵は、これらの溝および孔に係合した状態で、シャーシに回動自在に取り付けられている。また、シャーシは、１枚の金属板（例えば鋼板）にプレス金型を用いた打ち抜き加工を施すとともに、曲げ金型を用いた曲げ加工などを施すことによって、一体に製作されている。また、金属製のシャーシに代えて合成樹脂製のシャーシを用いた鍵盤装置も知られている。このような合成樹脂製のシャーシは一般に、金型を備える射出成形機によって、一体的に射出成形されている。
【０００３】
さらに、この種の鍵盤装置として、鍵のタッチ感をアコースティックピアノに近づけるために、鍵に連動して回動するハンマーを備えたタイプのものがある。その場合、ハンマーは、例えば特開昭６３−１２８３９７号公報に開示されているように、シャーシに固定したハンマー支持部材に、回動自在に支持されるのが一般的である。
【０００４】
【発明が解決しようとする課題】
上記従来の鍵盤装置によれば、１個のシャーシ上にすべての鍵が取り付けられているため、シャーシは、これらの鍵全体の幅（左右方向の長さ）以上の大きなサイズにならざるを得ない。このため、シャーシの加工に使用される、プレス金型、曲げ金型および射出成形用の金型や、プレス機および射出成形機を含めた製造設備が大型になり、製造コストを大きく増大させる原因になっている。これに加えて、シャーシの試作段階において、シャーシに形成される孔や鍵ガイドの位置などが、金型の製造誤差などによってずれてしまうことがあり、これらの位置を整えるための金型調整が必要になる場合がある。この場合、金型が大型であることにより、溝や孔の位置ずれを調整すべき範囲が広くなることによって、金型の調整作業に手間がかかり、その結果、製造コストをさらに増大させるという問題がある。
【０００５】
また、鍵盤装置には、通常の８８鍵に限らず、様々な鍵数のものがある。しかし、従来の鍵盤装置では、全体として１個のシャーシを用いているため、例えば８８鍵用のシャーシの金型を、７６鍵用のシャーシの加工に転用することは不可能である。このため、鍵数の異なる鍵盤装置を製造する場合、それぞれの鍵数用のシャーシの金型を別々に製作しなければならず、製造コストが一層、増大してしまう。
【０００６】
本発明は、このような課題を解決するためになされたものであり、シャーシの製作コストの大幅な削減により製造コストを大幅に削減することができ、組立を容易に行えるとともに、ハンマーの支持構成に関連する部品点数の削減による製造コスト減をも図ることができる鍵盤楽器の鍵盤装置を提供することを目的とする。
【０００７】
【課題を解決するための手段】
この目的を達成するため、本発明の鍵盤楽器の鍵盤装置は、左右方向に並べられた複数のシャーシと、左右方向に延び、複数のシャーシを互いに連結する連結部材と、シャーシに回動自在に設けられた複数の鍵と、連結部材に回動自在に支持され、複数の鍵にそれぞれ連動して回動する複数のハンマーと、を備えていることを特徴とする。
【０００８】
この鍵盤楽器の鍵盤装置によれば、鍵盤装置のシャーシが複数に分割されていて、それらを別々に製作できるので、１つの鍵盤装置に対して１個のシャーシを製作する従来の場合と比べて、シャーシ１個当りのサイズを小型化できる。これによって、シャーシの製作に用いる、金型やプレス機などを含む製造設備を小型化できるとともに、試作段階の金型調整も容易になるので、シャーシの製作コスト、したがって、鍵盤装置の製造コストを大幅に削減することができる。
【０００９】
また、複数のシャーシが連結部材で互いに連結されるので、例えば、シャーシを楽器本体に取り付ける前に、複数のシャーシを連結部材で連結した状態で鍵やハンマーを取り付けることが可能になるなど、鍵盤装置の組立の自由度が高められる。そして、そのように、楽器本体への取付前に、例えば楽器本体外で、鍵盤装置を組み立てることによって、その組立作業、および複数のシャーシ相互間や鍵およびハンマー相互間の位置関係の調整作業などを容易に行うことができ、楽器本体にシャーシ、ハンマーや鍵などを順次、組み込んだ場合に生じやすい鍵の表面の損傷などを回避することができる。
【００１０】
さらに、ハンマーが、連結部材に直接、支持されているので、そのために従来設けられていたハンマー支持部材を省略でき、その分の部品点数の削減によって、製造コストをさらに削減することができる。
【００１１】
この場合、連結部材が、すべての複数のハンマーにわたって左右方向に延びる１個の連結部材で構成されていることが好ましい。
【００１２】
この構成では、連結部材がすべてのハンマーにわたる１個の連結部材として構成されているので、複数のシャーシの組立精度などに影響されることなく、ハンマーの支点位置が鍵盤装置全体にわたって一様になることにより、ハンマーの高さ、相互間の間隔やストロークなどのばらつきが非常に小さくなり、それらの調整を極めて容易に行うことができる。
【００１３】
この場合、連結部材は、シャーシに水平に取り付けられる取付部と、この取付部の一端から上方に延びるハンマー支持部とによって構成され、このハンマー支持部には、その長さ方向に沿って、複数のハンマーをそれぞれ係合・支持するための複数の係合凸部および係合凹部が交互にが形成されていることが好ましい。
【００１４】
この構成では、連結部材が取付部とハンマー支持部とから断面Ｌ形のアングル状に形成されるとともに、ハンマー支持部に櫛歯状に形成した複数の係合凸部および係合凹部に、複数のハンマーが係合・支持される。このような比較的単純で安価な構成の連結部材によって、複数のハンマーを一様な支点位置で支持することができる。また、連結部材が断面Ｌ形であることで、比較的大きな剛性を有することにより、シャーシの補強機能を高めることもできる。
【００１５】
【発明の実施の形態】
以下、図面を参照しながら、本発明の実施形態を詳細に説明する。図１および図２は、本発明を適用した電子ピアノの鍵盤装置を示している。両図に示すように、この鍵盤装置１は、複数のシャーシ２と、複数のシャーシ２を互いに連結する前後および中央の計３つの連結部材４、４、５と、シャーシ２に回動自在に取り付けられた複数の鍵３と、中央の連結部材５（以下「中連結部材」という）に回動自在に取り付けられ、鍵３と連動して回動する複数のハンマー６と、を備えている。
【００１６】
複数のシャーシ２は、棚板７上に左右方向に並べられており、中央の７個（図１には２個のみ図示）のシャーシと、図示しない最低音部用および最高音部用のシャーシの、計９個のシャーシで構成されている。このうち、中央の７個のシャーシ２は、互いに同じ寸法および形状を有しており、各シャーシ２に、１オクターブ分の鍵３、すなわち７個の白鍵３ａおよび５個の黒鍵３ｂから成る計１２個の鍵３が取り付けられている。また、最低音部用および最高音部用のシャーシには、最低音部の３個の鍵３および最高音の１個の鍵３がそれぞれ取り付けられている。このように、鍵盤装置１は、全部で８８個の鍵３を備えている（図１には２オクターブ分のみ図示）。
【００１７】
中央の７個のシャーシ２はそれぞれ、同じ金型で製作された、例えばＡＢＳ樹脂の射出成形品で構成され、矩形の平面形状を有している。図２に示すように、シャーシ２の下面の四隅には、棚板７への取付用のボス２ａが、下方に突出して形成されており（２つのみ図示）、各ボス２ａには、補強用のリブ２ｂが一体に形成されている。また、シャーシ２の下面には、各ボス２ａの外側に、前後の連結部材４、４を取り付けるためのボス２ｃが下方に突出して形成されている。
【００１８】
一方、最低音部用および最高音部用のシャーシはそれぞれ、上記シャーシ２用の金型に入子型を用いることによって、Ｖ字形の溝付きのシャーシを射出成形し、この溝付きシャーシを溝に沿って切断することにより、製作されている。
【００１９】
以上の計９個のシャーシ２は、前記連結部材４、４、５によって互いに連結されている。これらの連結部材４、４、５はそれぞれ、鍵盤装置１の左右方向の全体に渡る長さの細長い１本のアングル状のものであり、例えばアルミ合金の押出成形品で構成されている。前後の連結部材４、４は、図２に示すように、水平な取付部４ａと、その前端または後端から上方に延びる鉛直部４ｂとにより、断面Ｌ字状および逆Ｌ字状にそれぞれ形成されており、シャーシ２の前後端部に配置され、取付部４ａの部分で、各シャーシ２の下面から突出する前記ボス２ｃに、下方からねじ８で固定されている（図１参照）。
【００２０】
一方、中連結部材５は、図３（ａ）に示すように、水平な取付部５ａと、その後端から上方に垂直に延びるハンマー支持部５ｂとによって、断面逆Ｌ字状に形成されている。この中連結部材５は、シャーシ２の前後方向の中央部に配置され、取付部５ａの部分で、後述する鍵スイッチ１３とともに、各シャーシ２に下方からねじ９で固定されている。また、図３（ｂ）に示すように、中連結部材５のハンマー支持部５ｂには、その長さ方向に沿って、複数の係合凸部５ｃおよび係合凹部５ｄが、同じ高さおよび深さで交互に等間隔で櫛歯状に形成されており、各係合凸部５ｃおよび係合凹部５ｄにハンマー６が係合・支持されるようになっている。
【００２１】
鍵３（白鍵３ａおよび黒鍵３ｂ）はそれぞれ、例えばＡＢＳ樹脂の射出成形品で構成されており、以下、白鍵３ａを例にとり、その構成を説明する。白鍵３ａは、下面が開放した断面逆Ｕ字状のものであり、その後端部がシャーシ２の上面に設けられた回動支点１０に回動自在に支持されている。
【００２２】
また、白鍵３ａの前部には、フック状のストッパ部３ｃが形成されており、このストッパ部３ｃは、シャーシ２の孔２ｄを通って下方に突出している。一方、シャーシ２の下面には、ゴム製の上限ストッパ２ｆが取り付けられている。この構成により、白鍵３ａは、ストッパ部３ｃが上限ストッパ２ｆに当接することによって、上方への回動を規制され、常時は、斜め後ろ下がりの離鍵位置（図２に示す位置）に位置している。
【００２３】
さらに、シャーシ２の前端部には、白鍵３ａのストッパ部３ｃの付近に、鍵ガイド２ｇが立設されており、白鍵３ａは、その回動時に、この鍵ガイド２ｇによって、左右方向にぶれないように案内される。白鍵３ａは、以上のように構成されており、説明は省略するが、黒鍵３ｂも白鍵３ａとほぼ同様に構成されている。
【００２４】
ハンマー６は、前後方向に延びるアーム状のものであり、合成樹脂の一体成形品などで構成されている。ハンマー６の中央部よりも前側の部分には、係合孔６ａが形成されており、ハンマー６は、この係合孔６ａが中連結部材５のハンマー支持部５ｂの係合凸部５ｃに係合し、且つ係合孔６ａの左右両側部が係合凹部５ｄに載った状態で、中連結部材５に回動自在に支持されている。
【００２５】
また、ハンマー６は、その前端部の鍵当接部６ｂが鍵３の頂壁の裏面に当接しているとともに、係合孔６ａよりも後ろ側の部分がシャーシ２の開口２ｈを通って、シャーシ２の下側に延びている。さらに、ハンマー６の後端部には、上方に延びる延出部６ｃが形成されていて、ハンマー６の回動時、この延出部６ｃが、シャーシ２に形成された開口２ｉを通って出入りするようになっている。
【００２６】
また、ハンマー６の鍵当接部６ｂの下側には、アクチュエータ部６ｄが形成されていて、このアクチュエータ部６ｄは、後述する鍵スイッチ１３のスイッチ本体１５の上面に常時、当接している。なお、同図中の符号２ｊ、２ｋは、ハンマー６の下限位置および上限位置をそれぞれ規制するための下限ストッパおよび上限ストッパである。以上の構成により、鍵３が押鍵されると、ハンマー６は、その鍵当接部６ｂが鍵３で押されることによって、これに連動して同図の反時計方向に回動し、この回動の際、アクチュエータ部６ｄが鍵スイッチ１３のスイッチ本体１５を押下する。また、鍵３が離鍵されると、ハンマー６はその自重により同図の時計方向に復帰回動し、これに伴い、鍵３も図２に示す離鍵位置に復帰する。
【００２７】
上述した鍵スイッチ１３は、プリント基板１４と、その上面に設けられた多数のスイッチ本体１５とを備えている。プリント基板１４は、図２に示すように、シャーシ２の中央部に配置され、その前端部が、シャーシ２の前側のボス２ａから後方に延びるリブ２ｂの係合溝２ｌに係合した状態で、中央部が中連結部材５を固定するねじ９で共締めされることによって、シャーシ２に取り付けられている。
【００２８】
各スイッチ本体１５は、例えばゴムスイッチで構成されており、シャーシ２に形成した孔２ｍを介して上方に突出するとともに、プリント基板１４を介して、電子ピアノの発音を制御する制御装置（図示せず）に接続されている。前述したように、スイッチ本体１５の上面には、ハンマー６のアクチュエータ部６ｄが常に当接している。そして、鍵３が押鍵されるのに伴い、アクチュエータ部６ｄがスイッチ本体１５を押下し、オン動作させることによって、鍵３の押鍵の有無および押鍵速度などの押鍵情報が検出され、その検出結果に応じて、制御装置が電子ピアノの発音を制御するようになっている。
【００２９】
以上の構成の鍵盤装置１は、例えば、複数のシャーシ２を連結部材４、４、５で互いに連結し、中連結部材５のハンマー支持部５ｂに前述したようにしてハンマー６を取り付け、さらに、鍵３を回動支点１０に取り付けることなどにより組み立てられ、さらにシャーシ２相互間や鍵３およびハンマー６相互間の位置関係の調整を終えた後、棚板７に取り付けられる。この取付は、各シャーシ２に形成した前記ボス２ａと、これに対応して棚板７に形成された図示しない孔とを介して、ねじ止めによって行われる（図示せず）。なお、この棚板７は、アルミ合金の押出成形品などで構成されている。
【００３０】
以上のように構成された本実施形態の鍵盤装置１によれば、鍵３を取り付けるためのシャーシが、１オクターブ分用の７個のシャーシ２と、最低音部用および最高音部用の２個のシャーシとに分割構成されているので、シャーシ２の製造に用いる、射出成形用の金型や射出成形機を含めた製造設備を小型化できる。また、金型の小型化によって、試作段階の金型調整も容易になる。したがって、シャーシ２の製作コストを大幅に削減でき、鍵盤装置１の製造コストを大幅に削減することができる。
【００３１】
また、複数のシャーシ２が連結部材４、４、５で互いに連結されるので、前述したように、シャーシ２を棚板７などに取り付ける前に、複数のシャーシ２を連結部材４、４、５で連結した状態で鍵３やハンマー６を取り付けることが可能になるなど、鍵盤装置１の組立の自由度が高められる。そして、そのように、棚板７への取付前に、例えばピアノ本体外で、鍵盤装置１を組み立てることによって、その組立作業、および複数のシャーシ２相互間や鍵３およびハンマー６相互間の位置関係の調整作業などを容易に行うことができ、棚板７にシャーシ２、ハンマー６や鍵３などを順次、組み込んだ場合に生じやすい鍵３の表面の損傷などを回避することができる。
【００３２】
さらに、ハンマー６が、中連結部材５に直接、支持されているので、そのために従来設けられていたハンマー支持部材を省略でき、その分の部品点数の削減によって、製造コストをさらに削減することができる。また、この中連結部材５がすべてのハンマー６にわたる１個の連結部材として構成されているので、複数のシャーシ２の組立精度などに影響されることなく、ハンマー６の支点位置が鍵盤装置１全体にわたって一様になることにより、ハンマー６の高さ、相互間の間隔やストロークなどのばらつきが非常に小さくなり、それらの調整を極めて容易に行うことができる。
【００３３】
さらに、中連結部材５は、取付部５ａとハンマー支持部５ｂとからアングル状に形成されるとともに、ハンマー支持部５ｂに複数の係合凸部５ｃと係合凹部５ｄを櫛歯状に形成しただけのものであり、そのような単純で安価な構成によって、複数のハンマー６を一様な支点位置で支持することができる。また、中連結部材５が断面Ｌ形であることで、比較的大きな剛性を有することにより、シャーシ２の補強機能を高めることもできる。
【００３４】
【発明の効果】
以上詳述したように、本発明の鍵盤楽器の鍵盤装置は、シャーシの製作コストの大幅な削減により製造コストを大幅に削減することができ、組立を容易に行えるとともに、ハンマーの支持構成に関連する部品点数の削減による製造コスト減をも図ることができるなどの効果を有する。
【図面の簡単な説明】
【図１】本発明の一実施形態による電子ピアノの鍵盤装置の平面図である。
【図２】図１の鍵盤装置の側断面図である。
【図３】図１の鍵盤装置の中連結部材の（ａ）側面図、および（ｂ）背面図である。
【符号の説明】
１  鍵盤装置
２  シャーシ
３  鍵
４  前後の連結部材
５  中連結部材
５ａ  取付部
５ｂ  ハンマー支持部
５ｃ  係合凸部
５ｄ  係合凹部
６  ハンマー
【図１】
0003717666.tif 000002
【図２】
0003717666.tif 000003
【図３】
0003717666.tif 000004